(57)【特許請求の範囲】
【請求項１】
中央部に空気吸込口を有するベース部と、前記空気吸込口の周辺に設けられた開口を囲み一方の面側に突出した第1のリブと、を備えたパネルと、
前記パネルに着脱可能に設けられ、前記パネルの前記開口を覆う遮蔽部と、前記遮蔽部から前記パネルに向けて突出した第２のリブと、を備えたカバーとを備え、
前記第１のリブは、前記開口と前記空気吸込口との間に設けられた第１の内側リブと、前記第1の内側リブから連続的に形成され、前記第１の内側リブと共に前記開口を囲む第１の外側リブとで構成され、
前記第２のリブは、前記第１の内側リブに当接する第２の内側リブと、前記第２の内側リブから連続的に形成され、前記第１の外側リブに当接する第２の外側リブとで構成され、前記第２の内側リブの前記遮蔽部からの高さは、前記第２の外側リブの前記遮蔽部からの高さよりも低い化粧パネル。
【請求項２】
前記第１の外側リブの前記ベース部からの高さは、前記第１の内側リブの前記ベース部からの高さより低い請求項１記載の化粧パネル。
【請求項３】
前記第１の外側リブは溝を有し、前記溝の内側に前記第２の内側リブの一部が配置される請求項１記載の化粧パネル。
【請求項４】
前記第１の外側リブの前記ベース部からの高さは、前記ベース部から前記第２の内側リブの先端までの距離より低い請求項１に記載の化粧パネル。
【請求項５】
前記ベース部、前記遮蔽部、前記第１の内側リブ及び前記第２の内側リブにより前記開口から隔離された空気層を有し、前記空気層内に風向ベーンを駆動するモータが配置される請求項１〜４のいずれか一項に記載の化粧パネル。
【請求項６】
天井裏に設置されたときに下面となる側に空気の吸込み口を有するユニット本体と、
前記ユニット本体の下面側に着脱可能に設置され、前記空気の吸込み口に対応する位置に空気吸込口を有する請求項１記載の化粧パネルとを備え、
前記化粧パネルの前記開口を通じて、吊ボルトに対する前記ユニット本体の吊金具の位置が調整される空気調和機。
【請求項７】
中央部に空気吸込口を有するベース部と、前記空気吸込口の周辺に設けられた開口を囲み一方の面側に突出した第1のリブと、を備えたパネルと、
前記パネルに着脱可能に設けられ、前記パネルの前記開口を覆う遮蔽部と、前記遮蔽部から前記パネルに向けて突出した第２のリブと、を備えたカバーとを備え、
前記第１のリブは、前記開口と前記空気吸込口との間に設けられた第１の内側リブと、前記第1の内側リブから連続的に形成され、前記第１の内側リブと共に前記開口を囲む第１の外側リブとで構成され、
前記第２のリブは、第２の外側リブと、前記第２の外側リブから連続的に形成される第２の内側リブとで構成され、
前記第２の内側リブの前記遮蔽部からの高さは、前記第２の外側リブの前記遮蔽部からの高さよりも低く、
ベース部と遮蔽部の間に、第１のリブと第２のリブにより開口から隔離された略密閉の空気層を有する化粧パネル。
【発明の詳細な説明】
【技術分野】
【０００１】
この発明は、空気調和機のユニット本体に着脱可能に設置される化粧パネルに関するものである。また、この発明は、ユニット本体に着脱可能に設置される化粧パネルを備えた空気調和機に関するものである。
【背景技術】
【０００２】
天井埋込型空気調和機は、空気温度を調節し送風する機能を備えたユニット本体と、該ユニット本体とは着脱自在に設けられるパネルと、を備えている。ユニット本体は、天井裏内の梁等に設けられている吊ボルトにより、該天井から吊下げ設置される。また、パネルは、空気吸込口と空気吹出口が設けられており、室内側に設置される。【０００３】
このような天井埋込型空気調和機において、パネルには、室内側からユニット本体を吊ボルトに取り付けその後位置を微調節するための開口が設けられている。また、この開口は、空気調和機を天井に取り付けた後、開口を覆い隠すカバーを装着しているが、天井裏側の空気温度と室内側の空気温度との温度差が大きい場合にカバーの裏面で結露が生じる問題がある。【０００４】
そこで従来は、カバー裏面の結露を防止する手段として、カバーの裏面に、パネルとカバー間の空間を埋める断熱性ブロックを充填する方法が提案されている。また、パネルの開口に着脱可能または開閉可能なカバー部材を取付け、パネルとカバー間の空間と天井裏の空間とを遮蔽する方法が提案されている。（例えば、特許文献１参照。）
【先行技術文献】
【特許文献】
【０００５】
【特許文献１】特開２０１１−１７４６６３号公報
【発明の概要】
【発明が解決しようとする課題】
【０００６】
しかし、上記の従来の方法では、カバーに断熱性ブロックを設ける又はパネルの開口付近にパネルの開口を遮蔽する部材等を設けることが必要であり、部品点数の増加に伴う工程数の増加や、化粧パネルの重量増加が課題となっている。【０００７】
この発明は、上記のような課題を解決するためになされたものであり、工程数の増加を抑えながらカバー裏面の結露を抑制することのできる化粧パネル及び空気調和機を提供することを目的とする。
【課題を解決するための手段】
【０００８】
上述の目的を達成するために、この発明による化粧パネルは、開口と該開口を囲う第１のリブとを備えたパネルと、開口を覆う遮蔽部と遮蔽部からパネルに向けて突出した第２のリブとを備えたカバーと、を備え、第２のリブは内側のリブの高さが外側のリブよりも低い構成となっている。また、この発明による空気調和機は、ユニット本体と、化粧パネルと、を備え、該化粧パネルは、開口と該開口を囲う第１のリブとを備えたパネルと、開口を覆う遮蔽部と遮蔽部からパネルに向けて突出した第２のリブとを備えたカバーと、を備え、第２のリブは内側のリブの高さが外側のリブよりも低い構成となっている。
【発明の効果】
【０００９】
この発明の化粧パネルを用いると、パネルのベース部の開口を囲むよう設けられたリブと、カバーの遮蔽部に設けられたリブとが当接し、開口と他のエリアを隔離することができるので、部品点数の増加に伴う工程数の増加を抑えつつ、開口から隔離された領域におけるカバー裏面の結露発生を抑制することができる。
【図面の簡単な説明】
【００１０】
【図１】本発明の実施の形態１における天井埋込型空気調和機を示す斜視図である。
【図２】本発明の実施の形態１における天井埋込型空気調和機の化粧パネルを示す平面図である。
【図３】本発明の実施の形態１におけるパネルのコーナー部とその周辺部を示す概略図と斜視図である。
【図４】本発明の実施の形態１における天井埋込型空気調和機の断面を示す概略図である。
【図５】本発明の実施の形態１における天井埋込型空気調和機の冷凍サイクルを示す概略図である。
【図６】本発明の実施の形態１におけるパネルのコーナー部を覆うカバーを示す概略図と斜視図である。
【図７】本発明の実施の形態１における、化粧パネルのコーナー部における断面を示す概略図である。
【図８】本発明の実施の形態１における、パネルにカバーを取付ける際のパネルとカバーの断面を示す概略図である。
【図９】本発明の実施の形態２における、化粧パネルのコーナー部における断面を示す概略図である。
【図１０】本発明の実施の形態２における、パネルにカバーを取付ける際のパネルとカバーの断面を示す概略図である。
【図１１】本発明の実施の形態３におけるパネルのコーナー部を示す概略図である。
【図１２】本発明の実施の形態３における、化粧パネルのコーナー部における断面を示す概略図である。
【図１３】本発明の実施の形態３における、パネルにカバーを取付ける際のパネルとカバーの断面を示す概略図である。
【発明を実施するための形態】
【００１１】
以下、この発明を実施するための形態について、図面を参照して説明する。ここで、参照符号について、同一の符号を付したものは、同一であり、このことは、明細書の全文において共通することである。そして、明細書全文に表されている構成要素の形態は、あくまでも例示であって、明細書に記載された形態に限定されるものではない。特に構成要素の形状は、実施の形態における形状のみに限定されるものではない。そして、図面は実際の構造を簡略化して表す場合がある。さらに、図面では各構成物の大きさ又は、及び、構成物同士の位置関係が実際のものとは異なる場合がある。
【００１２】
実施の形態１．
図１（ａ）はこの発明の実施の形態１における空気調和機である天井埋込型空気調和機１００の全体構造を示す斜視図である。本実施の形態に係る天井埋込型空気調和機１００は、その一部を天井に埋め込まれた状態で設置されるものである。
【００１３】
天井埋込型空気調和機１００は、空気循環などを行う機器を内蔵するユニット本体１と、ユニット本体１と着脱可能に取り付けられる化粧パネル２とを備えている。ユニット本体１の外周の各角部には、吊金具３が設けられている。ユニット本体１は、図１（ｂ）に示すように、前記吊金具３に天井裏内の梁等に設けられた吊ボルト４を通した後、吊ボルト４にナット５を取り付けることによって天井裏に固定される。また、ユニット本体１は、ナット５を回転させて吊ボルト４に対する吊金具３の高さ位置を調整することにより、ユニット本体１の天井裏内の空間に対する位置が調整可能になっている。
【００１４】
ユニット本体１を天井裏内の空間に設置したとき、ユニット本体１は、室内側の面４６（後述する図４に示される。図４は、図２の断面線Ｂ−Ｂ´における天井埋込型空気調和機１００の断面図である）に空気の吸込み口５９を有する。化粧パネル２は、ユニット本体１の室内側の面４６を覆い隠すようにユニット本体１に着脱可能に取り付けられ、空調対象となる室内側に設置されている。化粧パネル２は、ユニット本体１の空気の吸込み口５９に対応する位置に空気吸込口４１を有する。化粧パネル２は、天井に設けられたユニット本体１設置用の天井穴を覆い、吊金具３の高さ位置を調整することにより天井と隙間のない状態でユニット本体１に取り付けられている。
【００１５】
図２はユニット本体１を天井裏内の空間に設置したときに、ユニット本体１に取り付けられた化粧パネル２を室内側から見た平面図である。化粧パネル２は、天井穴を覆うためのパネル６と、パネル６の四隅に着脱自在に設けられたカバー７と、で構成されている。パネル６にカバー７を取り付けることで覆われる領域をコーナー部という。図３（ａ）は、パネル６の四隅のコーナー部のうち、図２においてＣで示されるコーナー部と周辺の領域を室内側から見た概略図であり、内部構造を示すために化粧パネル２からカバー７を取り外した状態のものである。図３（ｂ）はパネル６のコーナー部と周辺の領域を室内側から見た概略斜視図である。
【００１６】
化粧パネル２は、図２に示すように、略矩形状であり、中央部にユニット本体１の空気の吸込み口に連通する空気吸込口４１を有し、空気吸込口４１の周辺にユニット本体１から送風された空気を吹き出すための吹出口８を有する。吹出口８は、ここでは４方向にそれぞれ設けた構成となっているが、これに限らない。吹出口８は、３方向、２方向または１方向に設けてもよい。空気吸込口４１は、吸込グリル４０により覆われている。
【００１７】
化粧パネル２の各吹出口８には、風向きを変更する風向偏向板となる風向ベーン（フラップ）９が設置される。図３（ａ）に示されるように、各風向ベーン９には、軸１０が設けられており、軸１０に取り付けられたモータ１１により軸１０を中心に回転制御可能な構成となっている。軸１０の一部を覆うように軸受１２ａ及び軸受１２ｂが取り付けられており、軸受１２ａ及び軸受１２ｂをパネル６にはめ込むことにより、風向ベーン９をパネル６に回動自在に固定している。また、化粧パネル２には、室内の状況を検出する赤外線センサーなどの検出装置１３を設置している。そして、ユニット本体１と、モータ１１および検出装置１３は電気的に接続され、ユニット本体１からモータ１１および検出装置１３に電力供給をするとともに、信号通信などを行う。
【００１８】
図３（ａ）に示すように、パネル６は四隅のコーナー部に開口１４を有する。開口１４は、開口１４から吊ボルト４に対してユニット本体１を固定する吊金具３が天井裏側に確認できる位置に設けられている。ユニット本体１を吊ボルト４に取り付けた後、ユニット本体１に化粧パネル２を取り付ける。その際、天井と化粧パネル２に隙間が生じる場合がある。その場合は、開口１４から吊ボルト４に取り付けられたナット５を回転させ、吊金具３の高さ位置を調整する。この調整により、化粧パネル２をユニット本体１に取り付けた状態のまま、ユニット本体１の吊り下げ高さを調整し、天井と化粧パネル２との間の隙間を解消できるようになっている。開口１４を囲むように第１のリブ１５がコーナー部に設けられる。
天井埋込型空気調和機１００を設置後、開口１４はカバー７により室内側から覆われる。
【００１９】
図４は、図２の断面線Ｂ−Ｂ´における天井埋込型空気調和機１００の断面図を示した図である。化粧パネル２は、天井５８と隙間がないようにユニット本体１に取り付けられる。ユニット本体１は、筐体５１の室内側の面４６に空気の吸込み口５９を有し、筐体５１の内部に空気の吸込み口５９と連結する空気吸込通路部５６を、空気吸込通路部５６の外側に空気吹出通路部５７を有し、空気吸込通路部５６と空気吹出通路部５７との間に室内から吸い込まれた空気を熱交換する室内熱交換器５５が配置されている。
ユニット本体１は、筐体５１の空気吸込通路部５６内に室内送風機５２を備える。室内送風機５２は、ファンモータ５３とターボファン５４を有し、ターボファン５４はファンモータ５３により駆動する。室内送風機５２が化粧パネル２の空気吸込口４１に設けられた吸込グリル４０、フィルタ（図示せず）を通して空気の吸込み口５９からユニット本体１内に室内の空気を吸い込み、空気吸込通路部５６に空気を送風する。空気吸込通路部５６に送風された空気は室内熱交換器５５を通り、室内熱交換器５５と熱交換を行い、空気吹出通路部５７に入り、化粧パネル２の吹出口８から室内へ吹き出される。
【００２０】
ここで、天井埋込型空気調和機１００の空気調和機能を実現する冷凍サイクルについて説明する。図５は天井埋込型空気調和機１００の冷凍サイクルを示す概略図である。天井埋込型空気調和機１００の冷凍サイクルは、ユニット本体１及び圧縮機５１０、四方弁５２０、室外熱交換器５３０及び膨張弁５４０を有している室外機５００にて構成されている。ユニット本体１は室外機５００とガス冷媒配管６００、液冷媒配管７００により配管接続され、冷凍サイクルを構成する。
【００２１】
圧縮機５１０は、吸入した冷媒を圧縮して吐出する。ここで、特に限定するものではないが、圧縮機５１０はたとえばインバータ回路等により、運転周波数を任意に変化させ、圧縮機５１０の容量を変化させるものなどでよい。ここで、圧縮機５１０の容量とは、単位時間あたりの冷媒を送り出す量を示す。四方弁５２０は、たとえば冷房運転時と暖房運転時とによって冷媒の流れを切り換えるための弁である。
【００２２】
室外熱交換器５３０は、冷媒と室外の空気との熱交換を行う。たとえば、暖房運転時においては蒸発器として機能し、冷媒を蒸発させ、気化させる。また、冷房運転時においては凝縮器として機能し、冷媒を凝縮して液化させる。
【００２３】
膨張弁５４０は冷媒を減圧して膨張させるものであり、絞り装置、流量制御手段等から構成される。たとえば電子式膨張弁等で構成した場合には、図示しない制御手段等の指示に基づいて開度調整を行う。
【００２４】
ユニット本体１における冷房運転について冷媒の流れに基づいて説明する。冷房運転においては、圧縮機５１０により圧縮されて吐出した高温、高圧のガス冷媒が四方弁５２０を通過し、室外熱交換器５３０に流入する。そして、室外熱交換器５３０内を通過して、室外の空気と熱交換することで凝縮、液化した冷媒である液冷媒は、膨張弁５４０へ流入する。膨張弁５４０で減圧されて気液二相状態となった冷媒は室外機５００から流出する。
【００２５】
室外機５００を流出した気液二相冷媒は、液冷媒配管７００を通過してユニット本体１に流入し、室内熱交換器５５を通過する。そして、室内熱交換機５５を通る空気と熱交換することで蒸発、ガス化した冷媒であるガス冷媒は、ユニット本体１から流出する。
【００２６】
ユニット本体１から流出したガス冷媒はガス冷媒配管６００を通過して室外機５００に流入する。そして、四方弁５２０を通過して再度圧縮機５１０に吸入される。以上のようにしてユニット本体１の冷媒が循環し、空気調和による冷房を行う。
【００２７】
上記の冷凍サイクルによってユニット本体１が室内空気の冷房を行うとき、室内熱交換機５５を通過し、室内熱交換機５５と熱交換することにより冷やされた空気が吹出口８から室内に吹出され、室内の空気温度を冷却する。このとき、ユニット本体１の冷房により室内側の空気温度と天井裏側の空気温度に温度差が発生する。室内側の空気温度と天井裏側の空気温度の差が大きく、天井裏側の空気温度が室内側より高い場合、天井裏側の高温高湿の空気がパネル６の開口１４を通じてパネル６とカバー７の間に流れ込むと、カバー７の裏面１６ｂ（図６（ｂ）を参照）及び化粧パネル２の側面に結露が生じる問題がある。本発明はこのようなカバー７の裏面１６ｂ及び化粧パネル２の側面に生じる結露を抑制するものである。以下、結露を抑制するためにパネル６とカバー７に設けられる構造に関して述べる。
【００２８】
図６（ａ）及び図６（ｂ）は、図２の化粧パネル２から取り外されたカバー７の概略図である。カバー７は、パネル６の開口１４を覆う遮蔽部１６と、遮蔽部１６から突出して設けられる第２のリブ１７及びフック１８ａ、１８ｂ及び１８ｃを有する。図６（ａ）は、カバー７をパネル６に取り付けたとき室内側から確認できる遮蔽部１６の面（遮蔽部１６の意匠面１６ａ）を示した概略図である。図６（ｂ）は、遮蔽部１６の、意匠面１６ａに対する裏面１６ｂを示した概略図である。図６（ｃ）は、遮蔽部１６の裏面１６ｂの概略斜視図である。第２のリブ１７及びフック１８ａ、１８ｂ及び１８ｃは遮蔽部１６の裏面１６ｂ上に設けられている。遮蔽部１６は略矩形状であり、パネル６に取り付けた際に中央部側となる一角に切り欠きを有する。遮蔽部１６の切り欠きには、裏面１６ｂ側に部材１９が設けられている。部材１９は、カバー７をパネル６に取り付けたとき遮蔽部１６の切り欠きからパネル６のコーナー部側に延伸するカバー壁部１９ａと、カバー壁部１９ａから連続的に形成され遮蔽部１６の外側に突き出すように延伸する固定部１９ｂとを有する。固定部１９ｂは、ネジなどによりカバー７をパネル６に固定するための孔を有している。
【００２９】
第２のリブ１７は、遮蔽部１６の端部２０ｃ及び２０ｄ側に設けられた第２の外側リブ１７ａと、切り欠き側に設けられた第２の内側リブ１７ｂとで構成されている。第２の内側リブ１７ｂは、第２の外側リブ１７ａから連続的に形成され、第２の内側リブ１７ｂの両端は第２の外側リブ１７ａの切り欠きが設けられている側の側面と接続する。
【００３０】
また、カバー７は、遮蔽部１６をパネル６に係止するためのフック１８ａ、１８ｂ及び１８ｃを、遮蔽部１６の切り欠きが設けられていない３か所の角部の内側にそれぞれ１つずつ有する。
【００３１】
遮蔽部１６は、図６（ａ）及び図６（ｂ）に示すように、切り欠き部の角部２３ａと、端部２０ｃと２０ｄの間の角部２３ｂとを結んだ対角線Ｄ―Ｄ´上の一点２４から、端部２０ｃと２０ｄに沿って、それぞれ略並行に設けられた屈曲部２５ｂと２５ｃを有する。また、遮蔽部１６は、対角線Ｄ―Ｄ´上の一点２４から、角部２３´まで設けられた屈曲部２５ａを有する。屈曲部２５ａ、２５ｂ及び２５ｃは、カバー７をパネル６に取り付けたとき、室内側に凸となる向きに曲がっている。遮蔽部１６は、屈曲部２５ａ、２５ｂ及び２５ｃにより、パネル６に取り付けられたとき、パネル６のコーナー部よりも室内側に凸となるように設置される。遮蔽部１６をこのような形状とすることで、化粧パネル２の意匠性を向上させている。
【００３２】
遮蔽部１６の、屈曲部２５ｂ、屈曲部２５ｃ、端部２０ａ及び端部２０ｂにより囲まれた裏面１６ｂの領域を遮蔽部基準面４７と呼ぶ。図６（ｃ）に示すように、第２の内側リブ１７ｂは、第２の外側リブ１７ａより遮蔽部基準面４７からの高さが低くなるように形成されている。
【００３３】
パネル６は、ベース部２６、第１のリブ１５及び留め具２７ａ、２７ｂ及び２７ｃで構成される。ベース部２６は、中央部に空気吸込口４１と、空気吸込口４１の周辺のコーナー部に開口１４を有する。第１のリブ１５は、開口１４を囲み、ベース部２６から室内側に突出して設けられる。留め具２７ａ、２７ｂ及び２７ｃは遮蔽部１６を係止するためにベース部２６から室内側に突出して設けられる。
【００３４】
ベース部２６のコーナー部は、図３（ａ）及び図３（ｂ）に示すように、ベース部２６に設けられた段部２８ａ及び２８ｂ及びベース部２６の外周３０ａ及び３０ｂで囲まれた領域である。ベース部２６は、図３（ｂ）に示すように、段部２８ａからコーナー部の面に向かって延びる側壁部３１ａと、段部２８ｂからコーナー部の面に向かって延びる側壁部３１ｂを有する。側壁部３１ａには軸受１２ａが挿入される。側壁部３１ｂには軸受１２ｂが挿入される。コーナー部のカバー７の切り欠き部に対応する位置に、それぞれ側壁部３１ａと３１ｂから連続的に形成された壁部２９ａと２９ｂが設けられる。カバー７をパネル６に取り付けるとき、遮蔽部１６の端部２０ａがベース部２６の側壁部３１ａと接続し、遮蔽部１６の端部２０ｂがベース部２６の側壁部３１ｂと接続し、遮蔽部１６の端部２０ｃがベース部２６の外周３０ａに沿う位置に接続し、遮蔽部１６の端部２０ｄがそれぞれベース部２６の外周の３０ｂに沿う位置に接続される。カバー壁部１９ａが壁部２９ａと２９ｂに接続され、ネジにより固定部１９ｂとベース部２６が固定される。以上のようにして、パネル６にカバー７が取り付けられる。
【００３５】
第１のリブ１５は、パネル６の外周側に設けられた第１の外側リブ１５ａと、パネル６の中央部側に設けられた第１の内側リブ１５ｂとで構成される。
第１の内側リブ１５ｂは、空気吸込口４１と開口１４との間に設けられ、その両端がそれぞれパネル６の側壁部３１ａ及び３１ｂに接するように配置されている。第１の内側リブ１５ｂ、側壁部３１ａ及び３１ｂで囲まれるベース部２６の領域３９ｂには、室内側から見て、風向ベーン９を駆動させるモータ１１と、隣り合う風向ベーン９が取り付けられる軸１０が配置されるような構成となっている。また、第１の外側リブ１５ａ、第１の内側リブ１５ｂ、側壁部３１ａ、側壁部３１ｂ、外周３０ａ及び外周３０ｂで囲まれるベース部２６の領域３９ａには、留め具２７ａ、２７ｂ及び２７ｃが設けられている。領域３９ａと領域３９ｂは略同一平面上に位置する。
第１の外側リブ１５ａは、パネル６の外周３０ａ及び３０ｂと開口１４との間に設けられる。第１の外側リブ１５ａは、第１の内側リブ１５ｂとともに開口１４を囲むように設けられ、第１の外側リブ１５ａの両端は、第１の内側リブ１５ｂの開口１４側の側面と接続し、第１の内側リブ１５ｂから連続的に形成されている。
【００３６】
なお、図３（ａ）に示すように、パネル６のベース部２６に設けられた第１のリブ１５には溝３３が形成されている。パネル６にカバー７を取り付けたときの、コーナー部における第１のリブ１５に対する第２のリブ１７の配置を図３（ｃ）に示す。図３（ｃ）において、第２のリブ１７が配置される領域４２は斜線で示されている。第１の外側リブ１５ａの開口１４側と反対側の側面と、第２の外側リブ１７ａの切り欠きが設けられている側の側面とが当接し、第１の内側リブ１５ｂの開口１４側の側面と、第２の内側リブ１７ｂの切り欠きが設けられている側の側面とが当接するように、第１のリブ１５と第２のリブ１７が配置される。溝３３は、第１のリブ１５と第２のリブ１７が重なる領域に設けられている。第１のリブ１５に溝３３を設けることで、カバー７をパネル６に取り付けたとき、溝３３の内側に第２の内側リブ１７ｂの一部が配置される。このように、第１のリブ１５に溝３３を形成することで、第１のリブ１５と第２のリブ１７とが接触してカバー７が浮き上がることを回避している。
【００３７】
また、パネル６の外周側に位置するコーナー部角部の３か所には、カバー７を係止するための留め具２７ａ、２７ｂ及び２７ｃがそれぞれ設けられている。コーナー部の空気吸込口４１側の角部には、カバー７の固定部１９ｂをネジ３４で固定するためのネジ穴３５が設けられる。
一方、カバー７には、カバー７をパネル６に取り付けたときにパネル６の留め具２７ａ、２７ｂ及び２７ｃに対応する位置にフック１８ａ、１８ｂ及び１８ｃが設けられている。遮蔽部１６の切り欠きには、固定部１９ｂが外側に突き出すように設けられている。
【００３８】
図７は、図２の化粧パネル２のＡ−Ａ´における断面図である。図７の上方向が天井裏側であり、下方向が室内側となる。化粧パネル２はパネル６とカバー７で構成される。パネル６はベース部２６、第１のリブ１５及び留め具２７ａ、２７ｂ及び２７ｃで構成される。カバー７は遮蔽部１６、第２のリブ９及びフック１８ａ、１８ｂ及び１８ｃで構成される。
ベース部２６は開口１４を有する。開口１４は、開口１４から吊ボルト４に対してユニット本体１を固定する吊金具３及びナット５が天井裏側に確認できる位置に設けられている。
第１のリブ１５は第１の外側リブ１５ａと第１の内側リブ１５ｂとで構成され、ベース部２６から室内側に突出して設けられる。第１の外側リブ１５ａは第１の内側リブ１５ｂとともに開口１４を囲む。第２のリブ１７は第２の外側リブ１７ａと第２の内側リブ１７ｂとで構成され、遮蔽部１６から天井裏側に突出して設けられる。第１の外側リブ１５ａには第２の内側リブ１５ｂを納めるための溝３３ａ及び溝３３ｂが設けられる。
【００３９】
フック１８ａ、１８ｂ及び１８ｃは、それぞれ、カバー７をパネル６に取り付けたときに、遮蔽部１６からパネル６に向かって延伸する突出部２１と、突出部２１から連続的に形成され、パネル６のコーナー部の平面に略並行に、遮蔽部１６の切り欠き部が設けられる方向に延伸する係止部２２を有する。
【００４０】
留め具２７ａ、２７ｂ及び２７ｃは、それぞれベース部２６の領域３９ａに対して略垂直に突出した支持部３７と、支持部から連続的に形成され、パネル６の外周側に延伸して設けられ、フック１８ａ、１８ｂ及び１８ｃの係止部２２を支持する係受部３８とを有する。
【００４１】
パネル６の留め具２７ａ、２７ｂ及び２７ｃに、それぞれ対応するカバー７のフック１８ａ、１８ｂ及び１８ｃが係合されている。また、ネジ止め用の固定部１９ｂとパネル６とがネジ３４により固定されている。以上の方法により、パネル６にカバー７が固定され、化粧パネル２が構成される。
【００４２】
化粧パネル２は、第１の外側リブ１５ａの開口１４側と反対側の側面と、第２の外側リブ１７ａの切り欠きが設けられている側の側面とが当接し、第１の内側リブ１５ｂの開口１４側の側面と、第２の内側リブ１７ｂの切り欠きが設けられている側の側面とが当接する構造を有する。化粧パネル２は、ベース部２６と遮蔽部１６の間に、第１の外側リブ１５ａ、第２の外側リブ１７ａ及び第１の内側リブ１５ｂとで開口１４から隔離された略密閉の空気層３６ａを有する。また、化粧パネル２は、ベース部２６と遮蔽部１６の間に、第１の内側リブ１５ｂ、第２の内側リブ１７ｂ及び第２の外側リブ１７ａで開口１４から隔離された略密閉の空気層３６ｂを有する。図７で図示しないが、空気層３６ｂ内に、風向ベーン９を駆動させるモータ１１と、隣り合う風向ベーン９が取り付けられる軸１０が配置される。
【００４３】
次に、パネル６にカバー７を取り付ける方法について図８（ａ）及び図（ｂ）を用いて説明する。
図８（ａ）はカバー７をパネル６に取り付ける直前のパネル６に対するカバー７の位置を示した断面図である。最初に、カバー７を、パネル６の角部から空気吸込口４１に向かう方向にスライドさせる。その際、第１の外側リブ１５ａと第２の内側リブ１７ｂとが当たらないように、カバー７をベース部２６の領域３８ａに対し角度をつけながらスライドさせて、カバー７の３か所のフック１８ａ、１８ｂ及び１８ｃをそれぞれ対応するパネル６の留め具２７ａ、２７ｂ及び２７ｃに係合させる。その後、ネジ３４をネジ穴３５に通してカバー７の固定部１９ｂとパネル６とを固定する。以上の取り付けによりパネル６にカバー７が設置され、化粧パネル２が構成される。
【００４４】
図８（ｂ）はパネル６にカバー７を取り付けた後の、パネル６に対するカバー７の位置を示した断面図である。
カバー７は、遮蔽部１６に設けられたフック１８ａ、１８ｂ及び１８ｃがそれぞれパネル６の留め具２７ａ、２７ｂ及び２７ｃに係合し、固定部１９ｂがネジ３４によりパネル６に固定されることでパネル６に固定される。カバー７は、パネル６に取り付けると、遮蔽部１６の２辺２０ｃ及び２０ｄがそれぞれパネル６の外周の２辺３０ａ及び３０ｂに沿う位置に固定される。また、カバー７の遮蔽部１６の２辺２０ａ及び２０ｂは、それぞれパネル６に設けられた段差部２８ａ及び２８ｂの側壁部３１ａ及び３１ｂと突き当てられて固定される。
【００４５】
実施の形態１に示された化粧パネル２では、パネル６のベース部２６とカバー７の遮蔽部１６との間に、開口１４から第１のリブ１５と第２のリブ１７により隔離された略密閉の空気層３６ａ及び３６ｂが形成される。すなわち、リブ１５とリブ１７により、天井裏の高温高湿の空気が、開口１４を通じて空気層３６ａ及び３６ｂに流れ込むことが抑制される。これにより、化粧パネル２の天井裏側の空間と室内側の空間の温度差が大きく天井裏側の空間のほうが高温高湿である場合に天井埋込型空気調和機１００を使用する場合でも、カバー７の遮蔽部１６の裏面１６ｂ及び化粧パネル２の側面への結露の発生を抑えることができる。また、遮蔽部１６の裏面１６ｂ及び化粧パネル２の側面への結露の発生を抑えることにより、パネル６のベース部２６とカバー７の遮蔽部１６との接続部から結露による水滴が室内にしたたり落ちるのを抑えることができる。また、天井裏の高温高湿の空気が、開口１４を通じて空気層３６ｂに流れ込むことが抑制されるので、空気層３６ｂ内に設けられたモータ１１と、軸１０への結露の発生を抑えることができる。
【００４６】
実施の形態１に示された化粧パネル２では、カバー７の遮蔽部１６に第２の外側リブ１７ａと、第２の外側リブ１７ａより遮蔽部１６からの高さが低い第２の内側リブ１７ｂを設ける。この構造は、第２の内側リブ１７ｂの遮蔽部１６からの高さが第２の外側リブ１７ａと等しい場合と比べて、第１の外側リブ１５ａに設ける第２の内側リブ１７ｂを納めるための溝３３の深さが浅い。すなわち、第１の外側リブ１５ａの溝３３が設けられる領域において、第１の外側リブ１５ａと第２の外側リブ１７ａが当接する領域４３が大きい。よって、第２の内側リブ１７ｂの遮蔽部１６からの高さが第２の外側リブ１７ａと等しい場合と比べて、ベース部２６と遮蔽部１６間の、リブ１５とリブ１７とで開口１４から隔離される空気層３６ａ及び３６ｂの密閉性を高めることができる。
【００４７】
また、実施の形態１に示された化粧パネル２では、カバー７の結露対策として、断熱材などの追加の部材を必要としない。そのため、従来の閉鎖カバー裏面の結露対策のような追加部品が不要となる。結果、部品点数の増加に伴う工程数の増加や、化粧パネルの重量増加を抑えることができる。
【００４８】
実施の形態２．
この発明の実施の形態２の化粧パネル２００について図９及び図１０を用いて説明する。なお、図９及び図１０中、図７及び図８と同一符号は同一部分を指す。この実施の形態２の化粧パネル２００は、実施の形態１の第１の外側リブ１５ａ及び第１の内側リブ１５ｂに替えて、ベース部２６上に第１の内側リブ５０ｂと、ベース部２６からの高さが第１の内側リブ５０ｂより低い第１の外側リブ５０ａを設けるように構成したものである。
【００４９】
実施の形態２に示された化粧パネル２００は、第１の内側リブ５０ｂよりベース部２６の領域３９ａからの高さが低い第１の外側リブ５０ａを設けることで、第１の外側リブ５０ａのベース部２６の領域３９ａからの高さが第１の内側リブ５０ｂと等しい場合と比べて、第１の外側リブ５０ａに対して第２の内側リブ１７ｂをより近づけられるようになる。すなわち、遮蔽部１６をベース部２６に近づけるときの、ベース部２６の領域３９ａに対する遮蔽部基準面４７の角度を平行に近づけることができる。よって、ベース部２６の領域３９ａに対する係受部３８の角度θをゼロ（領域３９ａと略平行）に近づけることができる。このような構造により、化粧パネル２をユニット本体１に取り付けた状態における、留め具２７ａ、２７ｂ及び２７ｃのフック１８ａ、１８ｂ及び１８ｃを天井面に略垂直な方向に対して固定する機能が向上する。よって、実施の形態１の効果に加え、パネル６のカバー７に対する天井面に略垂直な方向の係合能力を高めることができる。
【００５０】
実施の形態３．
この発明の実施の形態３の化粧パネル３００について図１１、図１２及び図１３を用いて説明する。なお、図１１、図１２及び図１３中、図３、図７及び図８と同一符号は同一部分を指す。この実施の形態３の化粧パネル３００は、実施の形態１の第１の外側リブ１５ａ及び第２の内側リブ１５ｂに替えて、ベース部２６に第１の外側リブ６０ａを設け、遮蔽部１６に第２の内側リブ６０ｂを設ける。第１の外側リブ６０ａのベース部２６の領域３９ａからの高さＬ１が、領域３９ａから第２の内側リブ６０ｂの先端までの距離Ｌ２より低い点で実施の形態１と異なる。また、実施の形態３では第１の外側リブ１５ａに溝３３が設けられていない。
【００５１】
実施の形態３に示された化粧パネル３００は、第１の外側リブ６０ａのベース部２６の領域３９ａからの高さＬ１が、ベース部２６の領域３９ａから第２の内側リブ６０ｂの先端までの距離Ｌ２より低くなるよう第１の外側リブ６０ａと第２の内側リブ６０ｂを設ける。第１の外側リブ６０ａのベース部２６の領域３９ａからの高さＬ１が、ベース部２６の領域３９ａから第２の内側リブ６０ｂの先端までの距離Ｌ２より低いので、遮蔽部１６をベース部２６の領域３９ａに対して平行に移動させてカバー７をパネル６に取り付けることができる。すなわち、ベース部２６の留め具２７ａ、２７ｂ及び２７ｃにおける係受部３８の角度をベース部２６の領域３９ａと略平行（≒０）に設けることができる。このような構造により、化粧パネル２をユニット本体１に取り付けた状態における、留め具２７ａ、２７ｂ及び２７ｃのフック１８ａ、１８ｂ及び１８ｃを天井面に略垂直な方向に対して固定する機能が向上し、実施の形態１の効果に加え、パネル６のカバー７に対する天井面に略垂直な方向の係合能力を高めることができる。
【００５２】
実施の形態３に示された化粧パネル３００では、遮蔽部１６をベース部２６の領域３９ａに対して平行に移動させてカバー７をパネル６に取り付けることができるため、図１１に示すように、ベース部２６の壁部２９ａと２９ｂの代わりに、固定部１９ｂを通すための固定部用開口４４を有する壁部４５をベース部２６上に設けることができる。
【００５３】
なお、上記各実施形態では、パネル６にカバー７を取り付けた際に、第１の外側リブ１５ａの開口１４側と反対側の側面と、第２の外側リブ１７ａの切り欠き部側の側面とが当接し、第１の内側リブ１５ｂの開口１４側の側面と、第２の内側リブ１７ｂの切り欠き部側の側面とが当接し、ベース２６と遮蔽体１６の間に、開口１４から第１のリブ１５と第２のリブ１７により隔離された略密閉の空気層３６ａ及び３６ｂが形成される構造について述べたが、本発明の実施の形態はこれに限られない。
パネル６及びカバー７の製造時のばらつきにより、第１のリブ１５と第２のリブ１７の間及び／又はパネル６とカバー７の境界部分に０．数ｍｍ程度の隙間が生じる場合がある。その場合でも、第１の外側リブ１５ａと第２の外側リブ１７ａの間及び／又は第１の内側リブ１５ｂと第２の内側リブの間に緩衝材を配置することで、実施の形態１〜３と同様に、開口１４からリブ１５、リブ１７及び緩衝材により隔離された略密閉の空気層３６ａ及び３６ｂが形成される。すなわち、リブ１５、リブ１７及び緩衝材により、天井裏の高温高湿の空気が、開口１４を通じて空気層３６ａ及び３６ｂに流れ込むことが抑制される。これにより、化粧パネル２の天井裏側の空間と室内側の空間の温度差が大きく、天井裏側の空間のほうが高温高湿である場合に天井埋込型空気調和機１００を使用する場合でも、遮蔽体１６の裏面１６ｂ及び化粧パネル２の側面への結露の発生を抑えることができる。
【００５４】
また、上記各実施形態では、図３（ａ）に示すようにパネル６に設けられる開口１４を略台形の形状としたが、これに限られない。開口１４の形状はメンテナンスのしやすさや吊ボルト４へのアクセスのしやすさが確保され、カバー７をパネル６に取り付けたときに、第１のリブ１５及び第２のリブ１７で開口１４から隔離された略密閉の空気層３６ａ及び３６ｂが形成されれば、円形や５角形などのその他の形状に変更が可能である。
【００５５】
また、上記各実施形態では、カバー７の遮蔽部１６を略矩形状の形状としたが、これに限定されない。カバー７をパネル６に取り付けたときに、第１のリブ１５と第２のリブ１７とが当接し、遮蔽部１６、カバー壁部１９ａ、ベース２６、第１のリブ１５及び第２のリブ１７で開口１４から隔離された略密閉の空気層３６ａ及び３６ｂが形成されれば、その他の形状に変更が可能である。
【００５６】
また、上記各実施形態では、ベース部２６のコーナー部の領域３９ａと３９ｂが略同一平面上に位置するとしたが、これに限定されない。コーナー部の領域３９ａと３９ｂとが同一の平面上にない場合であっても、コーナー部の領域３９ａが属する面を基準とする第１のリブ１５と第２のリブ１７の高さが上記各実施形態の条件を満たし、カバー７をパネル６に取り付けたときに、第１のリブ１５と第２のリブ１７とが当接し、遮蔽部１６、ベース２６、第１のリブ１５及び第２のリブ１７により開口１４から隔離された略密閉の空気層３６ａ及び３６ｂが形成されれば、コーナー部の領域３９ｂをその他の形状に変更が可能である。
【００５７】
また、上記各実施形態では、カバー７をパネル６に取り付けるときのカバー７の移動方向を、ベース部２６のコーナー部の領域３９ａが位置する面に対し斜め又は平行としたが、これに限定されない。留め具２７ａ、２７ｂ及び２７ｃ及びフック１８ａ、１８ｂ及び１８ｃの構造を適宜変更することにより、カバー７をパネル６に取り付けるときの移動方向を第１のリブ１５の開口側の側面に対して並行に行うことも可能である。
このような場合、カバー７をパネル６に取り付けたときに、第２の外側リブ１７ａを第１のリブ１５ａの開口側の側面に沿って当接するような位置に設け、第２の内側リブ１７ｂを、第１の内側リブ１５ｂの開口側の側面に沿って当接するような位置に設ける。上記の構造とすることで、カバー７をパネル６に取り付けたとき、第２のリブ１７を取り囲むように第１のリブ１５が当接する。又は、カバー７をパネル６に取り付けたときに、第２のリブ１７が第１のリブ１５を取り囲んで当接するよう第２のリブ１７を遮蔽部１６上に設けることが可能である。上記の構成とすることで、遮蔽部１６、ベース２６、第１のリブ１５及び第２のリブ１７により開口１４から隔離された略密閉の空気層３６ａ及び３６ｂが遮蔽部１６とベース部２６の間に形成される。
【００５８】
また、上記各実施形態では、遮蔽部１６は、図６（ａ）及び図６（ｂ）に示すように屈曲部２５ａ、２５ｂ及び２５ｃを有し、カバー７をパネル６に取り付けたときに室内側に凸となる形状を有するが、これに限定されない。遮蔽部１６が緩やかに湾曲した形状を持ち、カバー７をパネル６に取り付けたときに室内側に凸となる形状を有する場合では、第２の内側リブ１７ｂが突出する領域が属する平面を遮蔽部基準面４７とする。第２の内側リブ１７ｂが第２の外側リブ１７ａより遮蔽部基準面４７からの高さが低く、第１のリブ１５と第２のリブ１７が上記各実施形態の条件を満たし、カバー７をパネル６に取り付けたときに、第１のリブ１５と第２のリブ１７とが当接し、遮蔽部１６、ベース２６、第１のリブ１５及び第２のリブ１７により開口１４から隔離された略密閉の空気層３６ａ及び３６ｂが形成されれば、遮蔽部の形状を湾曲した形状に変更が可能である。
【００５９】
また、本発明は、上記各実施形態に限定されるものではなく、その要旨を逸脱しない範囲において、適宜変形が可能である。例えば、上記実施形態では、第２の内側リブ１７ｂは、第２の外側リブ１７ａより遮蔽部基準面４７からの高さが低くなるように形成されているが、第１のリブ１５と第２のリブ１７の形状は限定されるものではなく、カバー７をパネル６に取り付けたときに、第１のリブ１５と第２のリブ１７とが当接し、遮蔽部１６、ベース２６、第１のリブ１５及び第２のリブ１７により開口１４から隔離された略密閉の空気層３６ａ及び３６ｂが形成される限りにおいて、その他の形状に変更が可能である。
【００６０】
１…ユニット本体、２…化粧パネル、３…吊金具、４…吊ボルト、５…ナット、６…パネル、７…カバー、８…吹出口、９…風向ベーン、１０…軸、１１…モータ、１２ａ…軸受、１２ｂ…軸受、１３…検出装置、１４…開口、１５…第１のリブ、１５ａ…第１の外側リブ、１５ｂ…第１の内側リブ、１６…遮蔽部、１６ａ…遮蔽部１６の意匠面、１６ｂ…遮蔽部１６の裏面、１７…第２のリブ、１７ａ…第２の外側リブ、１７ｂ…第２の内側リブ、１８ａ…フック、１８ｂ…フック、１８ｃ…フック、１９…部材、１９ａ…カバー壁部、１９ｂ…固定部、２０ａ…遮蔽部１６の端部、２０ｂ…遮蔽部１６の端部、２０ｃ…遮蔽部１６の端部、２０ｄ…遮蔽部１６の端部、２１…突出部、２２…係止部、２３ａ…角部、２３ｂ…角部、２５ａ…屈曲部、２５ｂ…屈曲部、２５ｃ…屈曲部、２６…ベース部、２７ａ…留め具、２７ｂ…留め具、２７ｃ…留め具、２８ａ…段差部、２８ｂ…段差部、２９ａ…壁部、２９ｂ…壁部、３０ａ…パネル６の外周、３０ｂ…パネル６の外周、３１ａ…側壁部、３１ｂ…側壁部、３３…溝、３３ａ…溝、３３ｂ…溝、３４…ネジ、３５…ネジ穴、３６ａ…空気層、３６ｂ…空気層、３７…支持部、３８…係受部、３９ａ…ベース部２６の領域、３９ｂ…ベース部２６の領域、４０…吸込グリル、４１…空気吸込口、４２…領域、４３…領域、４５…壁部、４６…室内側の面、４７…遮蔽部基準面、５０ａ…第１の外側リブ、５０ｂ…第１の内側リブ、５１…筐体、５２…室内送風機、５３…ファンモータ、５４…ターボファン、５５…室内熱交換器、５６…空気吸込通路部、５７…空気吹出通路部、５８…天井、５９…空気の吸込み口、６０ａ…第１の外側リブ、６０ｂ…第２の内側リブ、１００…天井埋込型空気調和機、２００…化粧パネル、３００…化粧パネル、５００…室外機、５１０…圧縮機、５２０…四方弁、５３０…室外熱交換器、５４０…膨張弁、６００…ガス冷媒配管、７００…液冷媒配管
【図１】
0006973668.tif 000002
【図２】
0006973668.tif 000003
【図３】
0006973668.tif 000004
【図４】
0006973668.tif 000005
【図５】
0006973668.tif 000006
【図６】
0006973668.tif 000007
【図７】
0006973668.tif 000008
【図８】
0006973668.tif 000009
【図９】
0006973668.tif 000010
【図１０】
0006973668.tif 000011
【図１１】
0006973668.tif 000012
【図１２】
0006973668.tif 000013
【図１３】
0006973668.tif 000014